(57)【特許請求の範囲】
【請求項１】
上方に向かって開口する防水膜材製の箱体と、それぞれ縦方向に延び、この箱体の側壁膜内面に沿う水平方向で複数枚並設され、この側壁膜内面に全体的に接触する剛性の側板と、上記箱体の底部膜に沿って延び、上記各側板の下端部で囲まれた空間に嵌入されると共に上記底部膜の上面に全体的に接触する剛性の底板とを備え、上記各側板と底板とによって上記箱体が所定形状に保形され、その内部に被保護体を収容して水面上を浮遊できるようにし、
上記箱体から外側方に向かって突出し、水面上に浮遊可能な浮体を設け、
上記浮体を板形状とし、この浮体の基端部における下端部を上記箱体の下端部に連結し、この連結部を中心として上記浮体を下方回動可能にする一方、上記浮体の基端部における上部を上記箱体の側壁膜を介し上記側板に当接させたことを特徴とする組立式の被保護体収容浮遊体。
【発明の詳細な説明】
【技術分野】
【０００１】
本発明は、水害時などに、その内部に人や家財など保護されるべき被保護体を収容して、水面上に浮遊可能とされる組立式の被保護体収容浮遊体に関するものである。
【背景技術】
【０００２】
上記組立式の被保護体収容浮遊体には、従来、下記特許文献１に示されるものがある。この公報のものによれば、浮遊体は、内部に被保護体を収容し、密閉状態で浮遊可能とされる袋体であり、これにより、上記被保護体が水没しないよう保護されている。
【先行技術文献】
【特許文献】
【０００３】
【特許文献１】特開平１１−２９１７２号公報
【発明の概要】
【発明が解決しようとする課題】
【０００４】
ところで、上記従来の技術の浮遊体は袋体であることから、水面上に浮遊した浮遊体の内部を外部に開放した場合には、その内部の空気が水圧により直ちに排出されて、この浮遊体は容易に水没しがちとなる。このため、水害時に特に多く要求される作業であって、水面上に浮遊した浮遊体に対し被保護体を出し入れするという作業をするとき、上記浮遊体は容易に水没しがちとなることから、この浮遊体への被保護体の出し入れ作業は容易にはできないという問題点がある。
【課題を解決するための手段】
【０００５】
本発明は、上記のような事情に注目してなされたもので、本発明の目的は、災害時など、水面上に浮遊した浮遊体への被保護体の出し入れ作業が容易にできるようにすると共に、浮遊体の不使用時に、この浮遊体を狭い収容室間に収容することが容易にできるようにすることである。
【０００６】
請求項１の発明は、上方に向かって開口する防水膜材製の箱体６と、それぞれ縦方向に延び、この箱体６の側壁膜７内面に沿う水平方向で複数枚並設され、この側壁膜７内面に全体的に接触する剛性の側板１０と、上記箱体６の底部膜８に沿って延び、上記各側板１０の下端部で囲まれた空間に嵌入されると共に上記底部膜８の上面に全体的に接触する剛性の底板１１とを備え、上記各側板１０と底板１１とによって上記箱体６が所定形状に保形され、その内部に被保護体２を収容して水面３ａ上を浮遊できるようにし、
上記箱体６から外側方に向かって突出し、水面３ａ上に浮遊可能な浮体２５を設け、
上記浮体２５を板形状とし、この浮体２５の基端部２５ａにおける下端部を上記箱体６の下端部に連結し、この連結部３２を中心として上記浮体２５を下方回動Ｂ可能にする一方、上記浮体２５の基端部２５ａにおける上部を上記箱体６の側壁膜７を介し上記側板１０に当接させたことを特徴とする組立式の被保護体収容浮遊体である。
【０００７】
なお、この項において、上記各用語に付記した符号や図面番号は、本発明の技術的範囲を後述の「実施例」の項や図面の内容に限定解釈するものではない。
【発明の効果】
【０００８】
本発明による効果は、次の如くである。
【０００９】
請求項１の発明は、上方に向かって開口する防水膜材製の箱体と、それぞれ縦方向に延び、この箱体の側壁膜内面に沿う水平方向で複数枚並設され、この側壁膜内面に全体的に接触する剛性の側板と、上記箱体の底部膜に沿って延び、上記各側板の下端部で囲まれた空間に嵌入されると共に上記底部膜の上面に全体的に接触する剛性の底板とを備え、上記各側板と底板とによって上記箱体が所定形状に保形され、その内部に被保護体を収容して水面上を浮遊できるようにしている。
【００１０】
このため、上記浮遊体は上方に向かって開口したまま、水面上に浮遊した状態に保持される。よって、災害時など、水面上を浮遊する浮遊体への被保護体の出し入れ作業は容易にできる。
【００１１】
一方、上記浮遊体の不使用時には、上記箱体から上記各側板や底板を離脱させて互いに重ね合わせる一方、上記箱体を収縮させ、かつ、これら箱体、側板、および底板を結束するなど束ねてやれば、上記浮遊体をコンパクトにすることができる。よって、浮遊体の不使用時に、上記のように浮遊体をコンパクトにしてやれば、この浮遊体の持ち運びなど取り扱いが容易にできると共に、この浮遊体を狭い収容空間に収容することが容易にできる。
【００１２】
また、上記箱体から外側方に向かって突出し、水面上に浮遊可能な浮体を設けている。
【００１３】
このため、上記水面上を浮遊する箱体がローリングやピッチングすることは上記浮体により防止され、この浮体は上記箱体を安定して浮遊させるためのスタビライザとして働く。よって、水面上を浮遊する浮遊体への被保護体の出し入れ作業時に、上記浮遊体が不安定に作動することが防止されて、上記出し入れ作業がより容易にできる。
【００１４】
また、上記水面上を流動してきた何らかの物体が上記箱体に衝突しようとするとき、これに先立ち、上記水面上に浮遊可能な上記浮体が上記物体と衝突してバンパーとして働くことから、上記した物体の衝突による箱体の損傷が防止される。
【００１５】
更に、上記浮体を板形状とし、この浮体の基端部における下端部を上記箱体の下端部に連結し、この連結部を中心として上記浮体を下方回動可能にする一方、上記浮体の基端部における上部を上記箱体の側壁膜を介し上記側板に当接させている。
【００１６】
このため、上記浮体に与えられる浮力によって、この浮体が上記連結部を中心として上方回動しようとすることは、上記したように、浮体の基端部の上部が上記側板に当接することによって規制される。よって、上記浮体は箱体と一体化された状態となって、この箱体のスタビライザとして効果的に働くことから、浮遊体への被保護体の出し入れ作業はより容易にできる。
【００１７】
一方、上記連結部を中心とした浮体の下方回動が可能なことから、この下方回動により、この浮体を上記箱体の底部膜の下面に当接させるなど沿わせてやれば、上記浮遊体をコンパクトにすることができる。よって、浮遊体の不使用時に、上記のように浮遊体をコンパクトにしてやれば、この浮遊体の持ち運びなど取り扱いが容易にできると共に、この浮遊体を狭い収容空間に収容することが容易にできる。
【図面の簡単な説明】
【００１８】
【図１】全体側面図である。
【図２】全体平面図である。
【図３】正面部分破断図である。
【図４】全体斜視図である。
【発明を実施するための形態】
【００１９】
本発明の組立式の被保護体収容浮遊体に関し、災害時など、水面上に浮遊した浮遊体への被保護体の出し入れ作業が容易にできるようにすると共に、浮遊体の不使用時に、この浮遊体を狭い収容室間に収容することが容易にできるようにする、という目的を実現するため、本発明を実施するための形態は、次の如くである。
【００２０】
即ち、組立式の被保護体収容浮遊体は、上方に向かって開口する防水膜材製の箱体と、それぞれ縦方向に延び、この箱体の側壁膜内面に沿う水平方向で複数枚並設され、この側壁膜内面に全体的に接触する剛性の側板と、上記箱体の底部膜に沿って延び、上記各側板の下端部で囲まれた空間に嵌入されると共に上記底部膜の上面に全体的に接触する剛性の底板とを備えている。上記各側板と底板とによって上記箱体が所定形状に保形される。このように形成された浮遊体は、その内部に被保護体を収容して水面上を浮遊できることとされる。また、上記箱体から外側方に向かって突出し、水面上に浮遊可能な浮体が設けられる。更に、上記浮体が板形状とされて、この浮体の基端部における下端部が上記箱体の下端部に連結される。この連結部を中心として上記浮体が下方回動可能とされる一方、上記浮体の基端部における上部が上記箱体の側壁膜を介し上記側板に当接させられる。
【実施例】
【００２１】
本発明をより詳細に説明するために、その実施例を添付の図に従って説明する。
【００２２】
図において、符号１は浮遊体であり、この浮遊体１は、水害時などに、その内部に人や家財など保護されるべき被保護体２を収容して、洪水などの水３の水面３ａ上に浮遊可能とされるものである。
【００２３】
上記浮遊体１は、全体として直方体形状をなし上方に向かって開口する防水膜材製の箱体６を備えている。この箱体６は、その平面視で長方形の枠形状とされる側壁膜７と、この側壁膜７の下端開口を密閉するようこの側壁膜７の下端縁部に結合される長方形状の底部膜８とを備えている。また、上記側壁膜７は、箱体６の平面視で各短辺部を構成する一対の短辺側壁膜７ａと、各長辺部を構成する一対の長辺側壁膜７ｂとを備えている。上記箱体６は、所定寸法の防水膜材を互いに熱溶着により結合することにより、一体的に形成されている。
【００２４】
上記箱体６を形成する膜材は、汎用のテント等に用いられるものであって、繊維織物の両面を合成樹脂でコーティングしたものである。この樹脂は、熱溶着による接合が可能な熱可塑性樹脂のポリ塩化ビニル（ＰＶＣ）、エチレン酢酸ビニル共重合体（ＥＶＡ）、ポリウレタン（ＰＵ）などとされる。
【００２５】
上記浮遊体１は、それぞれ縦方向に延び、上記箱体６の側壁膜７内面に沿う水平方向で複数枚（４枚）並設され、この側壁膜７内面に全体的に接触する剛性の側板１０と、上記箱体６の底部膜８に沿って延び、上記各側板１０の下端部で囲まれた平面視で長方形状の空間に密嵌状に嵌入されると共に上記底部膜８の上面に全体的に接触する剛性で長方形状の底板１１とを備えている。
【００２６】
具体的には、上記側板１０は、箱体６の平面視で各短辺部を構成する一対の短辺側板１０ａと、各長辺部を構成する一対の長辺側板１０ｂとを備えている。また、上記箱体６の幅方向を左右としたとき、上記底板１１は左右一対の底板部材１１ａ，１１ａと、これら両底板部材１１ａ，１１ａを互いに枢支させる膜材製のヒンジ１１ｂとを備えている。このヒンジ１１ｂは、上記左右底板部材１１ａ，１１ａの互いの対向縁部の上面に結合され、これら左右底板部材１１ａ，１１ａは上記ヒンジ１１ｂにより谷折れ状に回動Ａするよう互いに枢支されている（図３中、一点鎖線）。
【００２７】
上記側板１０の各縦寸法は４００〜５００ｍｍ、底板１１の幅寸法×長さ寸法は９００×１８００ｍｍ程度であり、これら側板１０と底板１１との各厚さ寸法は２０〜４０ｍｍ程度であって、３０ｍｍ程度にすることが好ましい。また、上記側板１０と底板１１とは、それぞれ水面３ａ上に浮遊可能な板本体１４と、この板本体１４を密閉状に覆うシート状の表皮体１５とを備えている。上記板本体１４は多孔性樹脂である発泡ポリスチレン製であり、上記表皮体１５は樹脂性のシート又は、上記箱体６と同様の材質を利用できるが、好ましくは低発泡ポリエチレンシートとされている。
【００２８】
上記各長辺側壁膜７ｂの上端縁部の内面に沿ってそれぞれ水平に延び、この内面に熱溶着や縫製等により固着される樹脂製の係止体１７が設けられている。この係止体１７は、上記長辺側壁膜７ｂの上端縁部の内面に固着される基板１８と、この基板１８から上記箱体６の内方に向かって一体的に突設される断面が倒立Ｌ字形状の一対の突条体１９とを備えている。上記基板１８と突条体１９との間には、下方に向かって開口する係止溝２０が形成され、この係止溝２０に対し、上記長辺側板１０ｂの上端縁部が嵌脱可能に嵌入されて、上記係止体１７に係止されている。また、上記係止体１７は上記各長辺側板１０ｂの上端縁部を補強し、これにより、この上端縁部は直線形状を保つよう保形されている。このため、上記長辺側板１０ｂを上記長辺側壁膜７ｂに固定する際、固定位置がずれることなく容易に位置決めをすることが可能となる。
【００２９】
また、上記箱体６の側壁膜７の各部を上記側板１０に着脱可能に固着させる面ファスナーである固着具２２が設けられている。
【００３０】
上記箱体６の下端部から、この箱体６の幅方向における外側方に向かって突出し、水面３ａ上に浮遊可能な左右一対の浮体２５，２５と、これら各浮体２５を上記箱体６の側壁膜７の上部に連結して支持する支持具２６とが設けられている。上記各浮体２５は、水平方向に延びる板形状とされ、前記側板１０や底板１１と同様に板本体１４と表皮体１５とを備えている。上記浮体２５の幅寸法は８０〜１８０ｍｍ、厚さ寸法は４０〜６０ｍｍであって、上記側板１０や底板１１よりも厚くされ、５０ｍｍ程度にすることが好ましい。
【００３１】
上記支持具２６は、上記箱体６の側壁膜７の上部と浮体２５とを連結するバンド２８と、このバンド２８の長手方向の中途部同士を着脱可能に連結するバックル２９とを備えている。なお、図示しないが、上記バンド２８の長さは調整可能とされている。
【００３２】
上記浮体２５における上記箱体６側の端部が上記浮体２５の基端部２５ａに相当する。この浮体２５の基端部２５ａにおける下端部の表皮体１５は、上記箱体６の下端部の外面である底部膜８の下面に熱溶着により連結され、この連結部３２を中心として上記浮体２５が下方回動Ｂ可能とされる。一方、上記浮体２５の基端部２５ａにおける上部は、上記箱体６の側壁膜７を介し上記側板１０に当接させられている。これにより、上記浮体２５は、上記箱体６の下端部から外側方に向かって突出した姿勢から、上記連結部３２を中心として自由に上方回動しようとすることが規制されている。
【００３３】
上記箱体６の上端開口を開閉可能に閉じるカバー体３４が設けられる。このカバー体３４は、上記側壁膜７の上端縁部に取り付けられた複数（４つ）の係止具３５と、これら各係止具３５に着脱可能に架設される一対の弾性のカバーフレーム３６，３６と、これらカバーフレーム３６，３６と上記箱体６とをその上方から取り外し可能に覆うと共に、上記カバーフレーム３６，３６に支持されるカバーシート３７とを備えている。
【００３４】
上記カバーフレーム３６は、上記箱体６の上端開口を跨ぎ、上方に凸の円弧形状となるよう上記各係止具３５に架設される。また、上記両カバーフレーム３６，３６は、平面視で互いに交差するよう設置される。上記カバーシート３７は樹脂製で、防水性かつ透明とされている。
【００３５】
上記箱体６の各長辺側壁膜７ｂの外面には、それぞれベルト製の把手４０が取り付けられている。
【００３６】
そして、上記各側板１０、底板１１、係止体１７、および固着具２２によって、上記箱体６が所定の直方体形状に保形される。このように形成された浮遊体１は、その内部に被保護体２を収容して、水面３ａ上を浮遊できることとされている。また、上記箱体６と共に水面３ａ上に浮遊可能な上記各浮体２５は、上記箱体６が特にローリングすることを防止し、この箱体６のスタビライザとして働く。
【００３７】
上記浮遊体１の不使用時に、これをコンパクトに収納しようとする場合には、例えば、上記浮遊体１を次のように折り畳めばよい。
【００３８】
即ち、図３中、一点鎖線で示すように、まず、左右底板部材１１ａ，１１ａを谷折れするよう回動Ａさせて互いに重ね合わせ、次に、これを縦向き姿勢として上記両長辺側板１０ｂ，１０ｂのうち、一方の長辺側板１０ｂに重ね合わせる。次に、上記両短辺側板１０ａ，１０ａを上記箱体６の長手方向に列設して、上記両底板部材１１ａ，１１ａに重ね合わせる。次に、上記両短辺側板１０ａ，１０ａに対し他方の長辺側板１０ｂを重ね合わせ、これら各板１０，１１の外面に全体的に接触するよう上記箱体６を収縮させる。
【００３９】
一方、図３中、一点鎖線で示すように、上記各支持具２６のバックル２９を外して、上記各連結部３２を中心として上記各浮体２５を下方回動Ｂさせ、上記箱体６の底部膜８の下面に当接させ、不図示の固着具などにより固着させる。
【００４０】
そして、上記のようにコンパクトにした浮遊体１を不図示のバンドで結束すれば、この浮遊体１の厚さ寸法は１５０〜２００ｍｍ程度となる。このため、上記浮遊体１の持ち運びは、前記把手４０を把持するなどして容易にできると共に、狭い収納空間への収納も容易にできる。
【００４１】
上記構成によれば、上方に向かって開口する防水膜材製の箱体６と、それぞれ縦方向に延び、この箱体６の側壁膜７内面に沿う水平方向で複数枚並設され、この側壁膜７内面に全体的に接触する剛性の側板１０と、上記箱体６の底部膜８に沿って延び、上記各側板１０の下端部で囲まれた空間に嵌入されると共に上記底部膜８の上面に全体的に接触する剛性の底板１１とを備え、上記各側板１０と底板１１とによって上記箱体６が所定形状に保形され、その内部に被保護体２を収容して水面３ａ上を浮遊できるようにしている。
【００４２】
このため、上記浮遊体１は上方に向かって開口したまま、水面３ａ上に浮遊した状態に保持される。よって、災害時など、水面３ａ上を浮遊する浮遊体１への被保護体２の出し入れ作業は容易にできる。
【００４３】
一方、上記浮遊体１の不使用時には、上記箱体６から上記各側板１０や底板１１を離脱させて互いに重ね合わせる一方、上記箱体６を収縮させ、かつ、これら箱体６、側板１０、および底板１１を結束するなど束ねてやれば、上記浮遊体１をコンパクトにすることができる。よって、浮遊体１の不使用時に、上記のように浮遊体１をコンパクトにしてやれば、この浮遊体１の持ち運びなど取り扱いが容易にできると共に、この浮遊体１を狭い収容空間に収容することが容易にできる。
【００４４】
また、前記したように、箱体６から外側方に向かって突出し、水面３ａ上に浮遊可能な浮体２５を設けている。
【００４５】
このため、上記水面３ａ上を浮遊する箱体６がローリングやピッチングすることは上記浮体２５により防止され、この浮体２５は上記箱体６を安定して浮遊させるためのスタビライザとして働く。よって、水面３ａ上を浮遊する浮遊体１への被保護体２の出し入れ作業時に、上記浮遊体１が不安定に作動することが防止されて、上記出し入れ作業がより容易にできる。
【００４６】
また、上記水面３ａ上を流動してきた何らかの物体が上記箱体６に衝突しようとするとき、これに先立ち、上記水面３ａ上に浮遊可能な上記浮体２５が上記物体と衝突してバンパーとして働くことから、上記した物体の衝突による箱体６の損傷が防止される。
【００４７】
また、前記したように、浮体２５を板形状とし、この浮体２５の基端部２５ａにおける下端部を上記箱体６の下端部に連結し、この連結部３２を中心として上記浮体２５を下方回動Ｂ可能にする一方、上記浮体２５の基端部２５ａにおける上部を上記箱体６の側壁膜７を介し上記側板１０に当接させている。
【００４８】
このため、上記浮体２５に与えられる浮力によって、この浮体２５が上記連結部３２を中心として上方回動しようとすることは、上記したように、浮体２５の基端部２５ａの上部が上記側板１０に当接することによって規制される。よって、上記浮体２５は箱体６と一体化された状態となって、この箱体６のスタビライザとして効果的に働くことから、浮遊体１への被保護体２の出し入れ作業はより容易にできる。
【００４９】
一方、上記連結部３２を中心とした浮体２５の下方回動Ｂが可能なことから、この下方回動Ｂにより、この浮体２５を上記箱体６の底部膜８の下面に当接させるなど沿わせると共に固着させてやれば（図３中、一点鎖線）、上記浮遊体１をコンパクトにすることができる。よって、浮遊体１の不使用時に、上記のように浮遊体１をコンパクトにしてやれば、この浮遊体１の持ち運びなど取り扱いが容易にできると共に、この浮遊体１を狭い収容空間に収容することが容易にできる。
【００５０】
なお、以上は図示の例によるが、上記側板１０、底板１１、浮体２５は、上記板本体１４のみで構成してもよく、中空の防水性樹脂板で形成してもよい。また、上記表皮体１５は上記板本体１４の少なくとも一面のみを覆うものであってもよい。
【００５１】
また、上記底板１１の表皮体１５は、上記底板１１のヒンジ１１ｂを兼ねていてもよい。この場合、ヒンジ１１を兼ねる側の表皮体１５の面は、上記両底板部材１１ａ，１１ａを跨ぐように設けられ、他面は、両底板部材１１ａ，１１ａごとに個別に独立して表皮体１５を設けることによって、左右両底板部材１１ａ，１１ａを谷折れ状に回動させることが出来る。この場合、上記した表皮体１５の他面は設けなくてもよい。
【００５２】
また、浮遊体１の収納時など、この浮遊体１をコンパクトにする際に、折り畳まれることのない側壁膜７に固着される側板１０、好ましくは上記長辺側壁膜７ｂに固着される上記長辺側板１０ｂは、これら７ｂ，１０ｂを互いに着脱不可に固着して一体化してもよい。
【００５３】
また、上記短辺側壁膜７ａの上端縁部の内面に上記係止体１７を固着させてもよい。また、上記係止体１７と固着具２２とはいずれか一方のみを設けてもよい。具体的には、上記係止体７を用いない場合は、上記固着具２２のみで、上記側板１０を上記側壁膜７にを固着させてもよい。
【００５４】
また、上記左右底板部材１１ａ，１１ａはその下面にヒンジ１１ｂを取り付けて山折れ状に回動するよう互いに枢支させてもよい。また、上記両底板部材１１ａ，１１ａを互いに一体的に形成して一枚の底板１１としてもよく、この場合、ヒンジ１１ｂは不要となる。
【００５５】
また、上記浮体２５は、上記箱体６の短辺側板１０ａの下部から外側方に向かって突出するよう設けてもよい。また、上記浮体２５の基端部２５ａにおける下端部の底部膜８への連結位置を、上記下端部の端から浮体２５の厚さの1/2以上、より好ましくは浮体２５の厚さ以上だけ箱体６の下端部の外縁部から内側にしてもよい。このようにすれば、浮遊体１をコンパクトにする際、両浮体２５，２５同士を重ね合わせることも可能となり、よりコンパクトに収納することができる。また、上記支持具２６は剛性のバーにより形成してもよい。
【００５６】
また、上記側板１０や係止体１７に孔を設け、この孔に上記カバーフレーム３６の端部を嵌入させて係止させてやれば、上記各係止具３５を不要として、上記各カバーフレーム３６を側板１０に架設することが可能となる。また、上記カバー体３４は設けなくてもよい。
【符号の説明】
【００５７】
１    浮遊体
２    被保護体
３    水
３ａ  水面
６    箱体
７    側壁膜
８    底部膜
１０  側板
１１  底板
２５  浮体
２５ａ  基端部
３２  連結部
３４  カバー体
Ａ    回動
Ｂ    下方回動
【図１】
0005489761.tif 000002
【図２】
0005489761.tif 000003
【図３】
0005489761.tif 000004
【図４】
0005489761.tif 000005